(57)【要約】      （修正有）【課題】少しの開口でも十分な口腔内での操作性や優れた刷掃性や歯垢除去効果を得られ、かつ、口腔組織への物理的刺激が少なく、咽頭反射も引き起こしにくい口腔内清掃具を提供する。【解決手段】植毛台の厚みが１．５ｍｍ以上４．０ｍｍ以下、幅方向の長さが６．０ｍｍ以上８．０ｍｍ以下、植毛部分の長手方向の長さは１４．５ｍｍ以上２１．５ｍｍ以下、ブラシ毛の毛丈Ｈが５．０ｍｍ以上１０．０ｍｍ以下であり、ブラシ部の座屈強度が２５Ｎ／ｃｍ2以上７５Ｎ／ｃｍ2以下である構成とする。【選択図】図１
2008036098.tif 000002
【特許請求の範囲】
【請求項１】
植毛台の厚みが１．５ｍｍ以上４．０ｍｍ以下、植毛台の幅方向の長さが６．０ｍｍ以上８．０ｍｍ以下であり、前記植毛台の植毛部分の長手方向の長さは１４．５ｍｍ以上２１．５ｍｍ以下、かつブラシ毛の長さ（毛丈）が５．０ｍｍ以上１０．０ｍｍ以下であり、ブラシ部の座屈強度が２５Ｎ／ｃｍ2以上７５Ｎ／ｃｍ2以下であることを特徴とする口腔内清掃用具。
【請求項２】
植毛台とハンドル部を連結するネック部の長さが、４５ｍｍ以上７５ｍｍ以下であることを特徴とする請求項１に記載の口腔内清掃用具。                                                                                
【発明の詳細な説明】
【技術分野】
【０００１】
本発明は、口腔内清掃用具に関し、更に詳しくは、少しの開口でも十分な口腔内での操作性や優れた刷掃性や歯垢除去効果を得られ、かつ、口腔組織への物理的刺激が少なく、咽頭反射も引き起こしにくい口腔内清掃用具に関する。本発明は、開口障害を有する人や妊婦に対して特に有用な口腔内清掃具である。
【背景技術】
【０００２】
口を大きく開けられないため、食事や口腔清掃など日常生活に支障をきたしている人が数多く存在する。例えば、顎関節症患者、口蓋扁桃周囲膿瘍のような重度の口腔内炎症患者、一部の高齢者などである。一般に、３５ｍｍ以下しか開口できない状態を開口障害といい、日常生活に支障を及ぼすため治療を要するとされる。このような機能的に開口が困難な人だけでなく、口腔内の清掃行為に支障を及ぼしている開口が困難な人としては、経口挿管措置が施されている患者のように物理的に開口が困難な人、さらには、つわりが強く開口行為や口腔内に物を入れただけで咽頭反射する妊婦などが存在している。
【０００３】
このような開口行為に困難を伴う者は、口腔内清掃具の口腔内での操作性や刷掃性の確保に必要な開口が十分に行えないことが多いため、口腔内清掃が不十分となり、口腔内衛生環境が悪化しやすい。したがって、歯周炎や歯肉炎といった口腔内の炎症反応や齲蝕が発生し、最悪の場合には歯を喪失するなどＱＯＬを大きく低下させる場合がある。特に、高齢者や妊婦の場合、唾液分泌量の減少や粘膜組織変化などの要因や摂食頻度の増加や唾液成分の変化、細菌に対する抵抗力の低下などの要因を有しているため、一般の人に比べ口腔内衛生環境が悪化しやすい。例えば、妊婦の過半数に妊娠性歯肉炎が発生しているという報告がある。さらに、口腔内の衛生環境の悪化は全身の健康状態に悪影響を及ぼすことが知られている。例えば、高齢者の場合の誤嚥性肺炎や妊婦の場合の早産や低体重児出産が知られている。
【０００４】
したがって、このような人の口腔衛生環境をいかに良好に保つかが大きな課題となっている。この解決策として、従来は、含嗽剤や歯間清掃具、サック式清掃具、刷掃部を有する棒式清掃具などの口腔清掃具を用いられてきたが、何れも口腔内清掃性や歯垢除去効果が不十分なため、問題を解決するには至っていない。また、植毛部が小さい子供用の口腔清掃具を使用する場合も考えられるが、清掃具の刷掃面も小さくなるため磨き残しが生じたり、ハンドル部まで口腔内に入れないと奥歯まで届かないことから通常の歯ブラシ以上に口腔内での操作性が悪くなったり、咽頭反射を引き起こしたりするという課題点があった。
【０００５】
また、前記の人においては、口腔内に炎症が発生している場合が多い。したがって、口腔内の清掃行為により炎症を悪化させないことも必要であるが、この観点からの解決策は何ら提案されていない。    
【特許文献１】特開平７−１８４９３７号公報
【特許文献２】特開平１０−２４８８５９号公報
【特許文献３】特開２００２−３０６５１３号公報
【発明の開示】
【発明が解決しようとする課題】
【０００６】
そこで、本発明が、前述の状況に鑑み解決しようとする課題は、少しの開口でも十分な口腔内での操作性や優れた刷掃性、歯垢除去効果を得られ、かつ、口腔組織への物理的刺激が少なく、口腔内の炎症を悪化させず、さらには咽頭反射も引き起こしにくい口腔内清掃用具を提供する点にある。
【課題を解決するための手段】
【０００７】
上記の課題を解決するために、発明者は、口腔内に挿入される清掃具部分の形状、構造と、歯ブラシの素材との両面から鋭意検討を重ねた結果、植毛台については、厚さが１．５ｍｍ以上４．０ｍｍ以下かつ幅方向の長さが６．０ｍｍ以上８．０ｍｍ以下、前記植毛台の植毛部分の長手方向の長さは１４．５ｍｍ以上２１．５ｍｍ以下とし、ブラシ毛については、長さ（毛丈）が５．０ｍｍ以上１０．０ｍｍ以下でかつ、ブラシ部の座屈強度が２５Ｎ／ｃｍ2以上７５Ｎ／ｃｍ2以下とすることで少しの開口でも十分な口腔内での操作性を確保するとともに、十分な刷掃性を有する口腔用清掃具を得た。  
【０００８】
即ち、本発明に係る口腔用清掃具は、植毛台の厚みが１．５ｍｍ以上４．０ｍｍ以下、植毛台の幅方向の長さが６．０ｍｍ以上８．０ｍｍ以下であり、前記植毛台の植毛部分の長手方向の長さは１５．０ｍｍ以上２１．５ｍｍ以下であり、かつブラシ毛の長さ（毛丈）が５．０ｍｍ以上１０．０ｍｍ以下で、ブラシ部の座屈強度が３５Ｎ／ｃｍ2以上７５Ｎ／ｃｍ2以下であることを特徴とするものである。  
【０００９】
本発明の口腔内清掃具の植毛台とハンドル部を連結するネック部の長さが、４５ｍｍ以上７５ｍｍ以下であることが好ましい。  
【００１０】
本発明の口腔内清掃具の合成樹脂製のブラシ本体の植毛台に、熱可塑性樹脂製のブラシ毛が熱融着もしくはインモールド法により植設されたブラシ部が形成されたものが好ましい。  
【００１１】
本発明のブラシ部を構成するブラシ毛の少なくとも一部が、芯鞘構造又は海島構造の断面形状を有する先細毛であることが好ましい。  
【００１２】
また、ブラシ部を構成するブラシ毛の少なくとも一部が毛先側で分岐している先細毛であることが好ましい。  
【発明を実施するための最良の形態】
【００１３】
次に、本発明の実施形態を添付図面に基づき詳細に説明する。  
【００１４】
図１〜図６は、本発明に係る口腔内清掃具の第１実施形態を、図７〜図１１は、本発明に係る口腔内清掃具の第２実施形態を示す。  
【００１５】
図１は、本発明に係る歯ブラシの１実施の形態を示す正面部であり、図２は同じく平面図である。歯ブラシ１は、合成樹脂製のハンドル１０と、ハンドル１０のヘッド部１２に設けられたブラシ部１１とを備える。ハンドル１０は、ポリブチレンテレフタレート樹脂などのポリエステル樹脂やポリアセタール樹脂の射出成形により一体成形されており、ブラシ部１１を構成するブラシ毛２が植設されたヘッド部１２と、歯ブラシ１を把持するための柄部１４と、ヘッド部１２と柄部１４とを連結する細長いネック部１３からなる。  
【００１６】
前記ハンドル１０の素材としては、引張降伏応力が４５ＭＰａ以上で、曲げ弾性率が１９００ＭＰａ以上の熱可塑性樹脂が用いられる。前記熱可塑性樹脂は、特に限定されないが、ポリブチレンテレフタレート樹脂、ポリプロピレンテレフタレート樹脂、ポリエチレンテレフタレート樹脂、ポリエチレンナフタレート樹脂、ＰＣＴＡ樹脂、ＰＣＴＧ樹脂などのポリエステル樹脂、ポリアセタール樹脂（ホモポリマー、コポリマー）、ポリカーボネート樹脂、脂肪族ポリアミド樹脂、芳香族ポリアミド樹脂の中から選ばれた樹脂を主成分とする樹脂が用いられる。好ましくは、ポリブチレンテレフタレート樹脂、ポリエチレンテレフタレート樹脂、ＰＣＴＡ樹脂、ＰＣＴＧ樹脂などのポリエステル樹脂及びポリアセタール樹脂の中から選ばれた樹脂を主成分とした樹脂が用いられる。前記ＰＣＴＡ樹脂は、シクロヘキサンジメタノール（ＣＨＤＭ）とテレフタル酸（ＴＰＡ）とのエステル化合物と、ＣＨＤＭとイソフタル酸（ＩＰＡ）のエステル化合物との共重合体であり、また前記ＰＣＴＧは、エチレングリコールとＣＨＤＭのエステル化合物と、ＣＨＤＭとＴＰＡのエステル化合物との共重合体であり、いずれも飽和ポリエステル樹脂である。なお、ここで主成分とは、他の樹脂とブレンド若しくはアロイとして混合して用いられているものの中に当該樹脂が５０重量％以上の割合で含まれているもの、又は他の樹脂との共重合体中に当該樹脂のポリマーの繰り返しユニットが５０重量％以上の割合で含まれているものをいう。前記のような主成分となる熱可塑性樹脂と混合又は共重合して使用できるその他の熱可塑性樹脂としては、先に挙げた主成分として用いることの出来る樹脂の他、ＡＢＳ樹脂、ポリスチレン樹脂、ポリオレフィン樹脂、ＥＰＤＭ、アクリル系樹脂、ポリウレタン樹脂、ポリアリレート、熱可塑性エラストマー、シリコーン樹脂、フッ素樹脂等が挙げられる。  
【００１７】
歯ブラシ１のヘッド部１２の形状は特に限定されるものではないが、図示した実施の形態では、図３〜図６に示すとおり、四隅を切り落としたほぼ矩形状で、首部側から先端部に向かって略同一の厚さｔを有する平板状であり、このヘッド部１２におけるブラシ毛が植設された植毛面ａの裏面側ｂは首部１３の下面側に略面一に連なる一方、植毛面ａ側は、植毛面ａから段差なく滑らかに連続し首部１３側に向かって内向きに湾曲した弧状の傾斜面ｃを介して首部１３に連結されている。ヘッド部１２の厚さｔは、１．５ｍｍ以上４．０ｍｍ以下とすることが好ましく、さらには、２．０ｍｍ以上３．０ｍｍ以下とすることが好ましい。また、弧状の傾斜面ｃは、その曲率半径Ｒがヘッド部１２の厚さｔよりやや大きいか、ヘッド部１２の厚さｔと略同一であることが好ましく、１．５ｍｍ以上４ｍｍ以下が好ましく、更に好ましくは１．５ｍｍ以上３ｍｍ以下である。ヘッド部１２の幅ｗは６．０ｍｍ以上８．０ｍｍ以下とすることが好ましく、更に好ましくは７．０ｍｍ以上８．０ｍｍ以下である。図４のＬ３で表される植毛台の植毛部分の長手方向の長さは、１４．５ｍｍ以上２１．５ｍｍ以下とすることが好ましく、また１５．０ｍｍ以上２０．０ｍｍ以下とすることが好ましく、さらには１６．０ｍｍ以上１９．０ｍｍ以下とすることが最も好ましい。更に、植毛部側面の最外部からヘッド部側面エッジ部分までの距離は、１．０ｍｍ以下が好ましいが、０．８ｍｍ以下が更に好ましく、０．７ｍｍ以下が最も好ましい。ヘッド部１２の厚さｔ、幅ｗ及びヘッド部１２における植毛部分の長手方向の長さＬ３、植毛部側面の最外部からヘッド部側面エッジ部分までの距離が前記の範囲より大きくなるほど、歯ブラシ１におけるブラシ部１１周辺が大型化して、口腔内での操作性を低下させ、また咽頭反射を誘引させやすくなる。一方、前記の範囲以上の小型化は、ブラシ部１１が小さくなりすぎて、刷掃効率の低下に繋がるので好ましくないし、ヘッド部１２が１．５ｍｍ以下となるとブラシ毛２の植毛強度が不足する場合がでてくるため好ましくない。  
【００１８】
また、ブラシ部１１
を構成する、ヘッド部１２に植設されるブラシ毛２の素材としては特に限定されるものではなく、例えば、ナイロン、アラミド樹脂等のポリアミド樹脂、ポリエチレンテレフタレート、ポリトリメチレンテレフタレート若しくはポリブチレンテレフタレート等のポリエステル樹脂、ポリプロピレン等のポリオレフィン樹脂、その他、従来公知の熱可塑性樹脂フィラメントを用いることができる。ブラシ部１１に植設されるブラシ毛２の植毛面ａからの長さ、即ち毛丈（図５に示すＨ）は５.０ｍｍ以上１０．０ｍｍ以下とすることが好ましく、さらには７．０ｍｍ以上９．５ｍｍ以下とすることが好ましい。ブラシ毛２の毛丈Ｈが長すぎるとブラシ毛２の腰が弱くなり、刷掃性が低下する傾向にあり、また、口腔内での操作性も悪くなる。その反対に毛丈Ｈが短すぎると腰が強く成りすぎて硬くなり、歯茎などに対する刺激が強く成りすぎるおそれがある。本発明の口腔内清掃具では、ブラシ毛２が植設されたヘッド部１２の厚さｔが首部１３側から先端部に向かって略同一で、その厚さｔがヘッド部の厚さの約２分の１である１．５ｍｍ以上４ｍｍ以下と極めて薄肉であるうえに、植毛面ａの裏面側ｂが首部の下面側に略面一に連なっている。即ち、植毛面ａは首部１３の上面側から首部１３の厚さＴの約２分の１、即ちヘッド部１２の厚さｔと同じだけ下がった段落ち状態にある。このため、首部１２の上面側から突出するブラシ毛２の長さ（図５に示すｈ）は、ブラシ毛の毛丈Ｈが同じであっても、植毛面が首部の上面と同じ高さである従来の歯ブラシに比べて、前記段落ちしている分だけ短くなり、口腔内でのブラシ部１１の操作性に優れている。なお、図例の口腔内清掃具１では、ブラシ部１１を構成する毛束３の数（即ち、植毛穴５の数）は２０であるが、特に限定はない。また、各植毛穴５は、その目的に応じて大きさ及び形状を自由に設計することができ、そこに植設（充填）されるブラシ毛２（合成樹脂製フィラメント）の数に特に限定はなく、その植毛穴５の大きさ、ブラシ毛２の素材や太さ等により適宜決定される。更に、ブラシ部１１を構成する毛束３の植毛列数は、口腔内清掃具の長手方向に少なくとも３列の部分が存在し、４列以上の部分が存在しないことが好ましい。２列以下であると、ブラシ毛２の腰が弱くなり、刷掃性が低下する傾向にあり、逆に４列以上となるとブラシ部１１周辺が大型化して、口腔内での操作性を低下させる。最適なブラシ毛２や各種植毛の条件は、ブラシ部の座屈強度が２５Ｎ／ｃｍ2以上７５Ｎ／ｃｍ2以下となる組み合わせである。前記座屈強度は、３５Ｎ／ｃｍ2以上６５Ｎ／ｃｍ2以下が更に好ましく、４５Ｎ／ｃｍ2以上６０Ｎ／ｃｍ2以下が最も好ましい。座屈強度が２５Ｎ／ｃｍ2に満たないと刷掃性が低下する傾向にあり、７５Ｎ／ｃｍ2を越えると清掃行為により炎症を引き起こしたり、悪化させたりする可能性があるため好ましくない。  
【００１９】
この口腔内清掃具１は、ヘッド部１２に設けられたブラシ部１１が、複数のブラシ毛２を集束した毛束３を、平線を用いることなしに、熱融着又はインモールド法によってヘッド部１２に熱的に固定して形成された、所謂、無平線歯ブラシであることが好ましい。具体的には、たとえば、図５、図６に示すように、ヘッド部１２中に埋設された基端部に、複数のブラシ毛２同士が互いに融合された融合塊からなる厚肉部４が形成され、厚肉部４がヘッド部１２を構成する合成樹脂材料と互いに熱融着されるとともに厚肉部４によるアンカー効果により、ヘッド部１２内に強固に固定されている。厚肉部４は、図５、６に示すようにヘッド部１２の内部に埋設されていてもよいが、植毛面ａの直下に埋設されていてもよい。更に、植毛面ａに別途成形されたカバーが一体に固着されたたものでもよい。ヘッド部１２に対して平線を用いることなくブラシ毛２を植設して口腔内清掃具１を製造する方法は、従来公知の方法でよく、フューズイン法としては、例えば特開昭６０−２４１４０４号公報、特開昭６１−７６１０４号公報又は特開平２−９９００２号公報に記載された方法が、また、インモールド法としては、例えば特開昭６１−２６８２０８号公報、特表平２−５０３１５０号公報、特開平９−１８２６３２号公報、特表平９−５１２７２４号公報及び特開２００３−１０２５５２号公報に記載された方法等が挙げられる。これらの方法により、本発明に係る口腔内清掃具１は、平線を用いることなしにブラシ本体１０のヘッド部１２へブラシ毛２を熱的に固着してなることから、ブラシ毛２のヘッド部１２内への埋設深さを浅くしてヘッド部１２の厚さｔを４ｍｍ以下と極めて薄くすることができる。更に、前記口腔内清掃具において、ブラシ毛の一部の毛先が先細のテーパー状に形成された先細毛であるか、若しくは、毛先で分岐し、分岐した毛先が先細のテーパー状に形成された先細毛であることが好ましい。
【００２０】
植毛台とハンドル部を連結するネック部（Ｌ１）は、ハンドル部（Ｌ２）を唇より中の口腔内に挿入することなく口腔内、特に奥歯付近の清掃を行うことが出来るよう、４５ｍｍ以上７５ｍｍ以下の長さを有することが必要である。特に５５ｍｍ以上７０ｍｍ以下が好ましい。
【００２１】
次に、本発明の第２実施形態を図７〜図１１に基づき説明する。
【００２２】
図７は、本発明に係る口腔内清掃具の１実施の形態を示す正面部である。  
【００２３】
本例のブラシ部３の植毛パターンは図４と同じである。各毛束３の先端はそれぞれ予め略水平な状態で植毛あるいは植毛後に略水平にカットされており、さらに、前記毛束の少なくとも一部のブラシ毛が、芯鞘構造又は海島構造の断面形状を有する先細毛、もしくは毛先側で分岐している先細毛となっている。  
【００２４】
本例では、毛束３を構成するブラシ毛２が、図８に示すように、断面が芯鞘構造の合成樹脂製フィラメントからなり、鞘部６０の先端から３本の芯毛６１が突出形成されたものである。これは、例えば芯部６１をナイロンなどのポリアミド系樹脂を主成分とする素材で構成し、鞘部６０をポリブチレンテレフタレートなどのポリエステル系樹脂を主成分とする素材で構成した複合合成樹脂モノフィラメントを用い、これを苛性ソーダ等の薬液に浸漬し、引き上げることで鞘部６０が先端から溶解除去して芯部６１を露出させることにより製造することができ、このようなブラシ毛によれば、歯間部や歯と歯茎との間の境目などの狭い部分の歯垢除去効果、清掃性が向上する。  
【００２５】
図例では３本の芯毛が突出したものであるが、その本数は図９に示すように１本でも、その他２本、４本以上のものでもよい。また、薬液の濃度や浸漬時間、薬液からの引き上げ速度等により鞘部６０先端のテーパー形状や芯毛６１の露出長を適宜調整することができる。鞘部先端のテーパー形状は口腔内細部への挿入性、到達性を向上させる。芯毛６１の先端形状は任意であり、半球状など適宜な形状に加工することができる。  
【００２６】
また、ブラシ毛６２に用いる先細毛としては、芯鞘構造以外に、図１０（ａ），（ｂ）に示すように、単位断面要素６３を複数個連結した断面形状を有する合成樹脂製フィラメントの先端をアルカリや酸などの溶液に浸漬し、連結した単位断面要素の数に応じた数の先細テーパー状の分岐毛がブラシ毛先端に形成された先細毛を構成することができ、薬液の濃度や浸漬時間、薬液からの引き上げ速度等により、分岐毛の形や長さを任意に調整することができる。  
【００２７】
同様に、図１０（ｃ）は２つの単位断面要素からなるもの、（ｄ）は３つの単位断面要素を一列に並べたもの、（ｅ）は４つの単位断面要素からなるものを示しており、同様に先細テーパー状の分岐毛がブラシ毛先端に形成された先細毛を構成することができる。また、図１１に示すように各単位断面要素の中心部に芯部を設け、分岐毛のそれぞれを上記と同様の芯鞘構造とすることができる。
【実施例】
【００２８】
以下、第１実施形態における座屈強度が異なる２種類の口腔内清掃具の実使用試験について説明する。  
【００２９】
試験に用いた口腔内清掃具は、図１〜図４に示す第１実施形態に係る口腔内清掃具である。各部分の条件は、ヘッド部の厚さｔは２．５ｍｍ、弧上の傾斜面ｃの曲率半径Ｒは２．５ｍｍ、ヘッド部の幅ｗは７．５ｍｍ、植毛台の植毛部分の長手方向の長さＬ３は６５ｍｍ、植毛部側面の最外部からヘッド部側面エッジ部分までの距離は０．６ｍｍ、ブラシ毛の毛丈Ｈは９．０ｍｍであり、使用時の毛の硬さの指標である座屈強度は、５３Ｎ／ｃｍ2または７３Ｎ／ｃｍ2に設定した。ブラシ毛はナイロンを使用し、毛先部がテーパー状に形成された先細毛である。  
【００３０】
９７名の妊婦に対して試験を行った。座屈強度の異なる口腔内清掃具はパネラーの嗜好に合わせ何れかを自由に選択させた。その結果、５３Ｎ／ｃｍ2を５５名、７３Ｎ／ｃｍ2を４５名が選択した。前記の口腔内清掃具を１４日間使用させた後に使用時、使用後の評価をアンケートで調査した。評価基準は普段使用している口腔内清掃具と比較した相対評価とし、調査項目は「毛の硬さ」「ヘッドの大きさ」「隅々にまで毛先が届く感じ」「妊娠中の歯ブラシとしての評価」の４項目とした。その結果を表１に示す。    
【表１】
2008036098.tif 000003
【００３１】
表１より、第１実施形態の口腔内清掃具は、「毛の硬さ」、「ヘッドの大きさ」、「口腔内の清掃実感」何れの項目においても優れた評価が得られ、総合評価としての「妊娠中の歯ブラシとしての評価」においても８０％という高率の支持を得た。特に、「毛の硬さ」、「ヘッドの大きさ」での評価が高かった。  
【００３２】
以上、本発明の実施形態について説明したが、本発明はこうした実施例に何ら限定されるものではなく、本発明の要旨を逸脱しない範囲において種々なる形態で実施し得ることは勿論である。
【図面の簡単な説明】
【００３３】
【図１】本発明の第１実施形態に係る口腔内清掃具を示す正面図である。
【図２】図１の口腔内清掃具の平面図である。
【図３】図１の口腔内清掃具のハンドルにおけるヘッド部から首部にかけての要部の拡大正面図である。
【図４】図３のハンドル要部の平面図である。
【図５】図１の口腔内清掃具のヘッド部から首部にかけての要部の拡大縦断面図である。
【図６】図２におけるＡ−Ａ線断面図である。
【図７】本発明の第２実施形態に係る口腔内清掃具を示す正面図である。
【図８】（ａ）、（ｂ）は、第２実施形態におけるブラシ毛の要部を示す説明図。
【図９】（ａ）、（ｂ）は、同じくブラシ毛の変形例を示す説明図。
【図１０】（ａ）〜（ｅ）は、同じくブラシ毛の他の変形例を示す説明図。
【図１１】（ａ）、（ｂ）は、同じくブラシ毛の更に他の変形例を示す説明図。
【符号の説明】
【００３４】
１  口腔内清掃具  ２  ブラシ毛  ３  毛束  ４  厚肉部  １０  ハンドル  １１  ブラシ部  １２  ヘッド部  １３  首部  １４  柄部  １５  環状溝部  １６  滑り止め部  ６０  鞘部  ６１  芯毛  ６２  ブラシ毛毛先部  ６３  単位断面要素  ａ  植毛面  ｂ  ヘッド部裏面  ｃ  湾曲した傾斜面  ｔ  ヘッド部の厚さ  Ｔ  首部の厚さ  Ｒ  湾曲した傾斜面の曲率半径  ｗ  ヘッド部の幅  Ｈ  ブラシ毛の毛丈                                                                                
【図１】
2008036098.tif 000004
【図２】
2008036098.tif 000005
【図３】
2008036098.tif 000006
【図４】
2008036098.tif 000007
【図５】
2008036098.tif 000008
【図６】
2008036098.tif 000009
【図７】
2008036098.tif 000010
【図８】
2008036098.tif 000011
【図９】
2008036098.tif 000012
【図１０】
2008036098.tif 000013
【図１１】
2008036098.tif 000014